(57)【要約】【課題】遮蔽板の汚れを回避することができる光記録媒体駆動装置および光ピックアップを提供する。【解決手段】光記録媒体駆動装置１４では、支持体５５は、光の入出射口６４を規定する外端から内端に向かって延びる中空空間６３を区画する。中空空間６３は支持体５５の内壁面で囲まれる。入出射口６４から離れた位置で中空空間６３は遮蔽板６５で塞がれる。中空空間６３の内端には反射ミラー６６が向き合わせられる。光記録媒体駆動装置１４には例えばあらゆる隙間から埃が進入する。しかしながら、たとえ中空空間６３内に埃が進入したとしても、遮蔽板６５の働きで中空空間６３から反射ミラー６６に向かって埃の飛散は回避される。反射ミラー６６に埃の付着は回避される。しかも、遮蔽板６５は入出射口６４から離れた位置に配置される。遮蔽板６５自体に埃の付着はできる限り回避される。遮蔽板６５の汚れは回避される。【選択図】図６
2007310987.tif 000002
【特許請求の範囲】
【請求項１】
光の入出射口を規定する外端から内端に向かって延びる中空空間を内壁面で区画する支持体と、支持体に支持されて、中空空間の内端に向き合わせられる反射ミラーと、入出射口から離れた位置で中空空間を塞ぐ光透過性の遮蔽板とを備えることを特徴とする光記録媒体駆動装置。
【請求項２】
請求項１に記載の光記録媒体駆動装置において、前記支持体の内壁面に囲まれる空間内に内壁面から隔離しつつ配置される支持部材と、支持部材に支持され、当該空間内で前記反射ミラーに向き合わせられる対物レンズと、相対変位可能に前記支持体に支持部材を連結する板ばねとをさらに備えることを特徴とする光記録媒体駆動装置。
【請求項３】
請求項１に記載の光記録媒体駆動装置において、光記録媒体と、光記録媒体の表面に平行に延びるレールと、前記支持体に区画されてレールを受け入れ、摺動軸受けを構成する貫通孔とを備えることを特徴とする光記録媒体駆動装置。
【請求項４】
光の入出射口を規定する外端から内端に向かって延びる中空空間を内壁面で区画する支持体と、支持体に支持されて、中空空間の内端に向き合わせられる反射ミラーと、入出射口から離れた位置で中空空間を塞ぐ光透過性の遮蔽板とを備えることを特徴とする光ピックアップ。
【請求項５】
請求項４に記載の光ピックアップにおいて、前記支持体の内壁面に囲まれる空間内に内壁面から隔離しつつ配置される支持部材と、支持部材に支持され、当該空間内で前記反射ミラーに向き合わせられる対物レンズと、相対変位可能に前記支持体に支持部材を連結する板ばねとをさらに備えることを特徴とする光ピックアップ。
【発明の詳細な説明】
【技術分野】
【０００１】
本発明は、例えば光磁気ディスクといった光記録媒体と、情報の書き込みや読み出しを実施する光ピックアップとを備える光記録媒体駆動装置に関する。
【背景技術】
【０００２】
例えば特許文献１に開示されるように、光ディスク駆動装置には光ピックアップが組み込まれる。光ピックアップは、光ディスクの表面に平行に移動するケーシングと、ケーシング内に配置される反射ミラーと、反射ミラーおよび光ディスクの間に配置される対物レンズとを備える。反射ミラーおよび対物レンズの働きで光源から光ディスクに向かってレーザビームが導かれる。その後、光ディスクから帰還するレーザビームはディテクタに向かって導かれる。こうして例えばデータの読み出しは実施される。
【特許文献１】特開平４−１１３３３号公報
【特許文献２】特開平５−１７４４０９号公報
【特許文献３】特開平６−３２５４０１号公報
【発明の開示】
【発明が解決しようとする課題】
【０００３】
ケーシングには光の入出射口が区画される。入出射口には遮蔽板すなわちガラス板が配置される。光ディスクの回転に基づき気流が生成されても、ガラス板の働きでケーシング内に埃の進入は回避される。しかしながら、ガラス板はケーシングの外壁面に露出する。ガラス板には埃が付着してしまう。ガラス板の汚れはレーザビームの光量を減少させる。データの正確な書き込みや読み出しは妨げられる。
【０００４】
本発明は、上記実状に鑑みてなされたもので、遮蔽板の汚れを回避することができる光記録媒体駆動装置および光ピックアップを提供することを目的とする。
【課題を解決するための手段】
【０００５】
上記目的を達成するために、本発明によれば、光の入出射口を規定する外端から内端に向かって延びる中空空間を内壁面で区画する支持体と、支持体に支持されて、中空空間の内端に向き合わせられる反射ミラーと、入出射口から離れた位置で中空空間を塞ぐ光透過性の遮蔽板とを備えることを特徴とする光記録媒体駆動装置が提供される。
【０００６】
こうした光記録媒体駆動装置では、支持体は、光の入出射口を規定する外端から内端に向かって延びる中空空間を区画する。中空空間は支持体の内壁面で囲まれる。入出射口から離れた位置で中空空間は遮蔽板で塞がれる。中空空間の内端には反射ミラーが向き合わせられる。光記録媒体駆動装置内には例えばあらゆる隙間から埃が進入する。しかしながら、たとえ中空空間内に埃が進入したとしても、遮蔽板の働きで中空空間から反射ミラーに向かって埃の飛散は回避される。反射ミラーに埃の付着は回避される。しかも、遮蔽板は入出射口から離れた位置に配置される。遮蔽板自体に埃の付着はできる限り回避される。遮蔽板の汚れは回避される。
【０００７】
光記録媒体駆動装置は、支持体の内壁面で囲まれる空間内に内壁面から隔離しつつ配置される支持部材と、支持部材に支持され、当該空間内で反射ミラーに向き合わせられる対物レンズと、相対変位可能に支持体に支持部材を連結する板ばねとをさらに備えてもよい。
【０００８】
こうした光記録媒体駆動装置では、支持体の空間内には内壁面から隔離しつつ支持部材が配置される、支持部材上に対物レンズが配置される。支持部材は板ばねで相対変位可能に支持体に連結される。その結果、支持体および支持部材の間には所定の隙間が区画される。前述されるように、中空空間は遮蔽板で塞がれる。したがって、たとえ光記録媒体駆動装置内で気流が生成されても、中空空間と対物レンズの空間との間で気流の通り抜けは回避される。たとえ埃が気流に巻き込まれても、中空空間内に気流すなわち埃の進入は回避されることができる。
【０００９】
光記録媒体駆動装置は、光記録媒体と、光記録媒体の表面に平行に延びるレールと、支持体に区画されてレールを受け入れ、摺動軸受けを構成する貫通孔とをさらに備えてもよい。貫通孔は摺動軸受けを構成する。
【００１０】
以上のような光記録媒体駆動装置の実現にあたってピックアップが提供される。光ピックアップは、光の入出射口を規定する外端から内端に向かって延びる中空空間を内壁面で区画する支持体と、支持体に支持されて、中空空間の内端に向き合わせられる反射ミラーと、入出射口から離れた位置で中空空間を塞ぐ光透過性の遮蔽板とを備えればよい。
【００１１】
同様に、光ピックアップは、支持体の内壁面に囲まれる空間内に内壁面から隔離しつつ配置される支持部材と、支持部材に支持され、当該空間内で前記反射ミラーに向き合わせられる対物レンズと、相対変位可能に支持体に支持部材を連結する板ばねとをさらに備えればよい。支持体には、一直線に延びるレールを受け入れ、摺動軸受けを構成する貫通孔が区画されればよい。
【発明の効果】
【００１２】
以上のように本発明によれば、遮蔽板の汚れを回避することができる光記録媒体駆動装置および光ピックアップが提供されることができる。
【発明を実施するための最良の形態】
【００１３】
以下、添付図面を参照しつつ本発明の一実施形態を説明する。
【００１４】
図１は電子機器の一具体例すなわちコンピュータ１１の構造を概略的に示す。このコンピュータ１１にはディスプレイ装置（図示されず）が接続される。コンピュータ１１およびディスプレイ装置はいわゆるデスクトップコンピュータシステムを構成する。コンピュータ１１には、例えばキーボードやマウスといった入力装置（図示されず）がさらに接続される。
【００１５】
コンピュータ１１は箱形の筐体１２を備える。筐体１２の正面には、例えばＤＶＤ−ＲＯＭ駆動装置１３や光磁気ディスク駆動装置１４といった光記録媒体駆動装置が組み込まれる。ＤＶＤ−ＲＯＭ駆動装置１３は正面の受け入れ口からＤＶＤ−ＲＯＭを受け入れる。ＤＶＤ−ＲＯＭ駆動装置１３は、受け入れたＤＶＤ−ＲＯＭからデータを読み出すことができる。同様に、光磁気ディスク駆動装置１４は正面の受け入れ口から例えばＭＯカートリッジを受け入れる。光磁気ディスク駆動装置１４は、受け入れたＭＯカートリッジ内の光記録媒体すなわちＭＯディスクにデータを書き込んだり、ＭＯディスクからデータを読み出したりすることができる。筐体１２の正面パネルには複数の吸気口１５が区画される。
【００１６】
図２に示されるように、筐体１２内にはいわゆるマザーボード１６や電源ユニット１７が収容される。マザーボード１６には例えばＣＰＵ（中央演算処理装置）やメモリといった電子回路素子が実装される。ＣＰＵは、例えばメモリに一時的に格納されるソフトウェアプログラムやデータに基づき様々な演算処理を実行する。ソフトウェアプログラムやデータは、同様に筐体１２内に収容されるハードディスク駆動装置（ＨＤＤ）１８といった大容量記憶装置に格納されればよい。利用者はキーボードやマウスからＣＰＵに向けて様々なデータや指令を入力することができる。
【００１７】
筐体１２の背面には例えば１対のファン１９、１９が組み込まれる。ファン１９は筐体１２の背面に区画される排気口２１に向き合わせられる。ファン１９の羽根車の回転に基づき筐体１２内には吸気口１５だけでなくあらゆる隙間から空気が流入する。例えば光磁気ディスク駆動装置１４の正面の隙間から空気は流入する。こうして筐体１２内では筐体１２の正面から背面に向かって気流は流通する。マザーボード１６上の電子回路素子や電源ユニット１７に沿って気流は流通する。気流はマザーボード１６や電源ユニット１７から熱を奪うことができる。こうした気流は排気口１９から吐き出される。
【００１８】
図３は光磁気ディスク駆動装置１４の構造を概略的に示す。この光磁気ディスク駆動装置１４は筐体２５を備える。筐体２５内にはベース２６が組み込まれる。ベース２６は例えば筐体２５の底面に受け止められる。ベース２６にはＭＯディスク２７を支持するスピンドルモータ２８が組み込まれる。スピンドルモータ２８は中心軸回りでＭＯディスク２７を回転駆動することができる。こうしてＭＯディスク２７は時計回りに回転することができる。ＭＯディスク２７はＭＯカートリッジ２９に収容される。ＭＯカートリッジ２９は筐体２５の正面の受け入れ口から受け入れられる。
【００１９】
ベース２６には光ピックアップ３１が組み込まれる。光ピックアップ３１は、可動ユニット３２と固定ユニット３３とを備える。光ピックアップ３１はいわゆる分離光学方式を採用する。可動ユニット３２には対物レンズ３４が組み込まれる。対物レンズ３４はＭＯディスク２７の裏面に向き合わせられる。可動ユニット３２はＭＯディスク２７の裏面に平行に一直線に延びる１対のレール３５、３５に支持される。レール３５は例えば円柱形に形成される。レール３５、３５はスピンドルモータ２７の中心軸からＭＯディスク２７の半径方向に相互に平行に延びる。こうして可動ユニット３２はＭＯディスク２７の半径方向に直線移動することができる。
【００２０】
可動ユニット３２の直線移動の実現にあたって光ピックアップ３１には磁気回路３６が組み込まれる。磁気回路３６は、レール３５、３５の外側でレール３５に平行に延びる内ヨーク３７と、内ヨーク３７の外側で内ヨーク３７に平行に延びる外ヨーク３８とを備える。内ヨーク３７および外ヨーク３８は両端で接続される。磁気回路３６は永久磁石３９を備える。永久磁石３９は、内ヨーク３７の側面に向き合う外ヨーク３８の側面に固定される。こうした永久磁石３９で生成される磁束は内ヨーク３７および外ヨーク３８を循環する。
【００２１】
磁気回路３６は、内ヨーク３７の周囲に巻き付けられるコイル４１をさらに備える。コイル４１は可動ユニット３２の両側端に取り付けられる。コイル４１および内ヨーク３７の間には所定の隙間が形成される。磁気回路３６の磁界中でコイル４１に電流が供給されると、レール３５に平行な方向に力が発生する。こうした力に基づき可動ユニット３２はレール３５に沿って変位する。こうしてコイル４１に供給される電流の調整に基づきレール３５に沿って可動ユニット３２の変位量が特定される。
【００２２】
電流の供給にあたってフレキシブルプリント基板（ＦＰＣ）４２が用いられる。ＦＰＣ４２の一端は可動ユニット３２に接続される。ＦＰＣ４２の他端は湾曲しつつベース２６内に延びる。ＦＰＣ４２の他端は、ベース２６に固定される固定金具（図示されず）に取り付けられればよい。ＦＰＣ４２には、筐体２５の収容空間内に配置されるプリント基板（図示されず）から電流が供給されればよい。こうした可動ユニット３２の詳細は後述される。
【００２３】
その一方で、固定ユニット３３は光源すなわちレーザダイオード４５を備える。レーザダイオード４５は光ビームすなわちレーザビーム４６を出力する。レーザビーム４６はコリメータ４７に照射される。コリメータ４７はレーザビーム４６を平行光線に変換する。こうしたレーザビーム４６は可動ユニット３２の後端に向かって照射される。コリメータ４２および可動ユニット３２の間にはビームスプリッタ４８が配置される。レーザダイオード４５から照射されるレーザビーム４６はビームスプリッタ４８を通過する。
【００２４】
可動ユニット３２ではレーザビーム４６は後述の反射ミラー（図示されず）に基づき対物レンズ３４に導かれる。その後、レーザビーム４６はＭＯディスク２７の裏面に向かって照射される。対物レンズ３４は、ＭＯディスク２７の表面に微小なビームスポットを形成する。レーザビーム４６はＭＯディスク２７の反射膜で反射する。ＭＯディスク２７から帰還するレーザビーム４６は再び対物レンズ３４から反射ミラーを介してビームスプリッタ４８に導かれる。
【００２５】
ビームスプリッタ４８にはサーボ用およびデータ用のディテクタ４９やＡＰＣ（オートパワーコントロール）ディテクタ５１が向き合わせられる。レーザビーム４６はビームスプリッタ４８からディテクタ４９やＡＰＣディテクタ５１に導かれる。ディテクタ４９やＡＰＣディテクタ５１でレーザビーム４６は検出される。レーザビーム４６は電子信号に変換される。電気信号は例えば前述のプリント基板上の制御回路に出力される。こうしてＭＯディスク２７からデータは読み出されることができる。
【００２６】
図４に示されるように、可動ユニット３２の対物レンズ３４にはバイアス磁石５２が向き合わせられる。バイアス磁石５２は、対物レンズ３４からＭＯディスク２７に向かうレーザビーム４６の経路の延長線上に配置されればよい。レーザビーム４６が照射されると、ＭＯディスク２７の記録磁性膜の温度は上昇する。このとき、記録磁性膜にはバイアス磁石５２から書き込み磁界が作用する。温度の上昇に伴い記録磁性膜では書き込み磁界の向きに応じて比較的に簡単に磁化は揃えられる。こうして記録磁性膜にデータが書き込まれる。
【００２７】
図５に示されるように、可動ユニット３２は例えば樹脂製の支持体５５を備える。支持体５５はほぼ直方体の外形を有する。支持体５５は前述のレール３５、３５に支持される。ＭＯディスク２７の裏面に向き合う支持体５５の上面には開口５６が区画される。開口５６内には前述の対物レンズ３４が配置される。対物レンズ３４は支持部材５７に支持される。開口５６の縁および支持部材５７の外縁の間には所定の隙間が規定される。支持体５５内には磁気回路５８が組み込まれる。磁気回路５８は、支持部材５７の両側面に固定されるコイル５９、５９と、コイル５９に向き合わせられる永久磁石６１、６１とを備える。永久磁石６１は支持体５５の内壁面に固定されればよい。
【００２８】
支持部材５７は１対の板ばね６２、６２で支持体５５に連結される。こうして支持部材５７は支持体５５に対して相対変位することができる。図６に示されるように、板ばね６２はＭＯディスク２７の表裏面に平行に広がればよい。板ばね６２、６２は支持部材５７を上下方向に挟み込む。コイル５９、５９に電流が供給されると、コイル５９では磁束が生成される。同様に、永久磁石６１では磁束が生成される。コイル５９の磁束と永久磁石６１の磁束との相互作用でコイル５９は支持体５５の上下方向に変位する。対物レンズ３４はＭＯディスク２７の裏面に近づいたり遠ざかったりすることができる。こうして対物レンズ３４の焦点は調整される。電流の供給にあたって、前述のＦＰＣ４２が用いられればよい。
【００２９】
支持体５５にはレール３５、３５に平行に延びる中空の水平空間６３が区画される。水平空間６３は対物レンズ３４の光軸に沿って支持体５５の前後方向に延びる。水平空間６３は支持体５５の内壁面で囲まれる。水平空間６３は、レーザビーム４６の入出射口６４を規定する外端から内端に向かって延びる。支持体５５内には入出射口６４から離れた位置に遮蔽板６５が配置される。ここでは、遮蔽板６５は水平空間６３の内端で中空空間６３を塞ぐ。遮蔽板６５には例えば光透過性の透明なガラス板が用いられればよい。遮蔽板６５の表面や裏面は前述の光軸に対して所定の傾斜角で交差すればよい。
【００３０】
支持体５５には対物レンズ３４の光軸上に反射ミラー６６が所定の傾斜姿勢で支持される。反射ミラー６６は反射面６７で対物レンズ３４および遮蔽板６５に向き合わせられる。支持体５５内には、反射ミラー６６に向き合う内端から前述の開口５６を規定する外端に向かって延びる中空の垂直空間６８が区画される。垂直空間６８は支持体５５の内壁面で囲まれる。垂直空間６８内では反射ミラー６６に対物レンズ３４が向き合わせられる。支持部材５７は支持体５５の内壁面から隔離される。反射面６７は、入出射口６４から入射するレーザビーム４６を対物レンズ３４に向かって反射する。同様に、反射面６７は、対物レンズ３４から入射するレーザビーム４６を入出射口６４に向かって反射する。
【００３１】
図７に示されるように、支持体５５には、中空空間６３の両側にレール３５を受け入れる貫通孔６９が区画される。貫通孔６９は摺動軸受けを構成する。貫通孔６９は支持体５５の前後方向に延びる。貫通孔６９の断面形状は例えば正円形に規定されればよい。レール３５の表面にはグリースが塗布される。こうしてレール３５および貫通孔６９の間で摩擦力は低減される。中空空間６３の断面形状は例えば正円形に規定されればよい。その一方で、内ヨーク３７の断面形状は例えば長方形に規定されればよい。
【００３２】
いま、ＭＯディスク２７からデータが読み出される場面を想定する。スピンドルモータ２８はＭＯディスク２７を回転駆動する。可動ユニット３２はＭＯディスク２７の半径方向に直線移動する。レーザダイオード４５はレーザビーム４６を照射する。前述されるように、ＭＯディスク２７から帰還するレーザビーム４６はディテクタ４９やＡＰＣディテクタ５１で検出される。こうして対物レンズ３４は所定のトラック上に位置決めされる。データは読み出される。
【００３３】
このとき、ＭＯディスク２７の回転に基づきＭＯディスク２７の表面や裏面に沿って気流が生成される。同様に、コンピュータ１１内で生成される気流に基づき筐体２５内にはあらゆる隙間から埃が進入する。こういった埃は筐体２５内で気流に巻き込まれる。可動ユニット３２では水平空間６３の内端に遮蔽板６５が配置される。遮蔽板６５の働きで水平空間６３から垂直空間６８に気流の通り抜けは回避される。その結果、水平空間６３に気流の進入は回避される。水平空間６３に埃の進入は回避される。しかも、遮蔽板６５は入出射口６４から離れた位置に配置される。たとえ水平空間６３に埃が進入しても、埃は遮蔽板６５まで到達することができない。遮蔽板６５の表面に埃の付着は回避される。遮蔽板６５の汚れは回避される。同時に、反射ミラー６６の反射面６７上には埃の付着は回避される。
【００３４】
本発明者は遮蔽板６５の効果を検証した。検証にあたって具体例および比較例に係る光磁気ディスク駆動装置１４が用意された。具体例には前述の可動ユニット３２が組み込まれた。水平空間６３の内端には遮蔽板６５が配置された。比較例では可動ユニットに遮蔽板６５は組み込まれなかった。具体例および比較例でＭＯディスク２７から帰還するレーザビーム４６の光量が比較された。比較にあたって、いわゆる加速試験が実施された。加速試験では通常の基準以上の条件が設定された。試験開始時からの経過時間ごとにＭＯディスク２７から帰還するレーザビーム４６の光量が計測された。光量［％］は試験開始時１００［％］からの減少量で特定された。経過時間［月］は通常の３２０倍程度の速度に設定された。
【００３５】
その結果、図８に示されるように、具体例では、光量が例えば６０［％］に到達するまで、比較例に比べておよそ１．５倍の時間を要することが確認された。遮蔽板６５の働きで、反射ミラー６６の反射面６７に堆積する埃は減少することが確認された。これまで以上に長期間にわたって光量は十分に確保されることが確認された。読み出しや書き込みの性能は長期間にわたって確保されることが確認された。
【００３６】
（付記１）  光の入出射口を規定する外端から内端に向かって延びる中空空間を内壁面で区画する支持体と、支持体に支持されて、中空空間の内端に向き合わせられる反射ミラーと、入出射口から離れた位置で中空空間を塞ぐ光透過性の遮蔽板とを備えることを特徴とする光記録媒体駆動装置。
【００３７】
（付記２）  付記１に記載の光記録媒体駆動装置において、前記支持体の内壁面に囲まれる空間内に内壁面から隔離しつつ配置される支持部材と、支持部材に支持され、当該空間内で前記反射ミラーに向き合わせられる対物レンズと、相対変位可能に前記支持体に支持部材を連結する板ばねとをさらに備えることを特徴とする光記録媒体駆動装置。
【００３８】
（付記３）  付記１に記載の光記録媒体駆動装置において、光記録媒体と、光記録媒体の表面に平行に延びるレールと、前記支持体に区画されてレールを受け入れ、摺動軸受けを構成する貫通孔とを備えることを特徴とする光記録媒体駆動装置。
【００３９】
（付記４）  光の入出射口を規定する外端から内端に向かって延びる中空空間を内壁面で区画する支持体と、支持体に支持されて、中空空間の内端に向き合わせられる反射ミラーと、入出射口から離れた位置で中空空間を塞ぐ光透過性の遮蔽板とを備えることを特徴とする光ピックアップ。
【００４０】
（付記５）  付記４に記載の光ピックアップにおいて、前記支持体の内壁面に囲まれる空間内に内壁面から隔離しつつ配置される支持部材と、支持部材に支持され、当該空間内で前記反射ミラーに向き合わせられる対物レンズと、相対変位可能に前記支持体に支持部材を連結する板ばねとをさらに備えることを特徴とする光ピックアップ。
【００４１】
（付記６）  付記４に記載の光ピックアップにおいて、前記支持体には、一直線に延びるレールを受け入れ、摺動軸受けを構成する貫通孔が区画されることを特徴とする光ピックアップ。
【図面の簡単な説明】
【００４２】
【図１】電子機器の一具体例すなわちコンピュータの構造を概略的に示す正面図である。
【図２】図１の２−２線に沿った断面図である。
【図３】本発明の光記録媒体駆動装置の構造を概略的に示す平面図である。
【図４】本発明の光記録媒体駆動装置の構造を概略的に示す側面図である。
【図５】可動ユニットの構造を概略的に示す部分拡大平面図である。
【図６】可動ユニットの構造を概略的に示す断面図である。
【図７】可動ユニットの構造を概略的に示す背面図である。
【図８】光量と経過時間との関係を示すグラフである。
【符号の説明】
【００４３】
１４  光記録媒体駆動装置（光磁気ディスク駆動装置）、２７  光記録媒体、３１  光ピックアップ、３４  対物レンズ、３５  レール、５５  支持体、５６  開口、５７  支持部材、６３  中空空間（水平空間）、６４  入出射口、６５  遮蔽板、６６  反射ミラー、６８  空間、６９  貫通孔。
【図１】
2007310987.tif 000003
【図２】
2007310987.tif 000004
【図３】
2007310987.tif 000005
【図４】
2007310987.tif 000006
【図５】
2007310987.tif 000007
【図６】
2007310987.tif 000008
【図７】
2007310987.tif 000009
【図８】
2007310987.tif 000010